【手続補正書】
【提出日】平成17年3月23日(2005.3.23)
【手続補正１】
【補正対象書類名】明細書
【補正対象項目名】特許請求の範囲
【補正方法】変更
【補正の内容】
【特許請求の範囲】
【請求項１】
画像信号より検出した動画ブロックに対してブロックマッチング処理でブロック単位の動きベクトルを検出し、上記検出したブロック単位動きベクトルの動き補正誤差の大小に応じて現ブロックと隣接ブロックの動きベクトルより画素単位の動きベクトルを生成し、上記画素単位の動きベクトルの動き補正誤差の大小に応じて画像信号の内挿フレームを生成し、上記内挿フレームを用いて画像信号のフレーム数を変換することを特徴とする画像信号のフレーム数変換方法。
【請求項２】
画像信号から画像の動き情報を求め、該動き情報を用いて該画像信号に挿入するための内挿フレームを生成してフレーム数を変換する画像信号のフレーム数変換方法において、
一画面を複数の第１ブロックに分割し、該複数の第１ブロック単位で画像の第１動き情報を求め、該複数の第１ブロックのそれぞれについて、該第１ブロックよりも小さい複数の第２ブロックに分割し、該複数の第２ブロックに対する画像の第２動き情報の動き情報を、前記第１動き情報を用いて求め、該第２動き情報を用いて前記内挿フレームを生成することを特徴とするフレーム数変換方法。
【請求項３】
画像信号から画像の動き情報を求め、該動き情報を用いて該画像信号に挿入するための内挿フレームを生成してフレーム数を変換する画像信号のフレーム数変換方法において、
一画面を複数に分割したブロックのそれぞれについて動き情報を得るための第１演算処理を行い、
前記複数のブロックのうち、前記第１の動き情報演算処理によって動き情報が得られたブロックを動きブロックとして判定し、該動きブロックについて、再度動き情報を得るための第２演算処理を行い、
前記第２演算処理で得られた動き情報を用いて前記内挿フレームを生成することを特徴とするフレーム数変換方法。
【請求項４】
画像信号から画像の動き情報を求め、該動き情報を用いて該画像信号に挿入するための内挿フレームを生成してフレーム数を変換する画像信号のフレーム数変換方法において、
前記画像信号のシーンチェンジを検出し、該画像信号のシーンチェンジを検出した場合は、前記内挿フレームの生成処理を異ならせることを特徴とするフレーム数変換方法。
【請求項５】
請求項４に記載のフレーム数変換方法において、前記画像信号のシーンチェンジを検出した場合は、前記画像の動き情報を求める処理、及び前記動き情報を用いて内挿フレームを生成する処理を中止し、現フレームの画像信号を前記内挿フレームとして用いることを特徴とするフレーム数変換方法。
【請求項６】
入力された画像信号に基づいて静止ブロック又は動画ブロックを検出する動き検出部と、上記動画ブロックに対してブロックマッチング処理でブロック単位の動きベクトルを検出するブロック単位動きベクトル探索部と、上記検出したブロック単位動きベクトルの動き補正誤差の大小に応じて現ブロックと隣接ブロックの動きベクトルから画素単位の動きベクトルを生成する画素単位動きベクトル生成部と、上記画素単位の動きベクトルの動き補正誤差の大小に応じて上記画像信号の内挿フレームを生成する動き補正内挿フレーム生成部とを備えたことを特徴とする画像信号のフレーム数変換装置。
【請求項７】
上記ブロック単位動きベクトル探索部は、動画ブロックに対しては、予め設定する原点近傍領域は密、周縁部領域は粗の複数個数の代表動きベクトルによるブロックマッチング処理で参照動きベクトルを算出し、算出した参照動きベクトル近傍の動きベクトルに対してブロックマッチング処理による再探索で動きベクトルを検出することを特徴とする請求項６に記載の画像信号のフレーム数変換装置。
【請求項８】
上記ブロック単位動きベクトル探索部は、検出した動きベクトルの発生頻度の形態に応じて、探索領域又は代表動きベクトルの異なる複数種類の探索モードのうちいずれかのモードに従ったブロックマッチング処理により動きベクトルを検出することを特徴とする請求項６に記載の画像信号のフレーム数変換装置。
【請求項９】
上記ブロック単位動きベクトル探索部は、画像信号の動きベクトル情報のＰピクチャおよびＢピクチャの動きベクトルを１フレーム間の動きベクトルに変換するベクトル変換部を有し、動画ブロックに対しては、上記ベクトル変換部出力の動きベクトルによるブロックマッチング処理で参照動きベクトルを算出し、算出した参照動きベクトル近傍の動きベクトルに対してブロックマッチング処理による再探索で動きベクトルを検出することを特徴とする請求項８に記載の画像信号のフレーム数変換装置。
【請求項１０】
上記画素単位動きベクトル生成部は、ブロック単位の動きベクトルによる動き補正誤差が閾値未満の時はブロック内の全ての画素にブロック単位の動きベクトルを割り当て、上記動き補正誤差が閾値以上の時はブロックを水平方向及び垂直方向に細分化したミニブロックに対して、現ブロック及び隣接ブロックの動きベクトルのうちでミニブロックを内包する領域での動き補正誤差が最少なものをミニブロック内の画素の動きベクトルに割り当てることを特徴とする請求項６乃至９のいずれかに記載の画像信号のフレーム数変換装置。
【請求項１１】
上記画素単位動きベクトル生成部は、ブロック単位の動きベクトルでブロック動き補正誤差とミニブロック動き補正誤差とを算出し、上記ブロック動き補正誤差の大小に応じて閾値を変化させ、ミニブロック動き補正誤差が上記閾値未満のミニブロックではブロック単位の動きベクトルを割り当て、ミニブロック動き補正誤差が上記閾値以上のミニブロックでは現ブロック及び隣接ブロックの動きベクトルのうちでミニブロックを内包する領域での動き補正誤差が最少なものをミニブロック内の画素の動きベクトルに割り当てることを特徴とする請求項６乃至９のいずれかに記載の画像信号のフレーム数変換装置。
【請求項１２】
上記画素単位動きベクトル生成部は、画像信号のエッジ領域を検出し、上記エッジ領域を含むミニブロックでは、ミニブロックを内包する横長の領域で動き補正誤差を算出することを特徴とする請求項１０又は１１記載の画像信号のフレーム数変換装置。
【請求項１３】
検出した動きベクトルの発生頻度の形態に応じて上記ブロック単位動きベクトル探索部の探索モードと画素単位動きベクトル生成部の動作モードを設定するベクトル分布計測部を備え、上記ブロック単位動きベクトル探索部では上記探索モードに従ったブロックマッチング処理で動きベクトルを検出し、上記画素単位動きベクトル生成部では上記動作モードに従ったミニブロック分割探索処理を行うことを特徴とする請求項６に記載の画像信号のフレーム数変換装置。
【請求項１４】
上記動き補正内挿フレーム生成部は、上記画素単位の動きベクトルの動き補正誤差の大小に応じて閾値を設定する補正誤差算出部と、上記画素単位の動きベクトルで動き補正ベクトルを生成する動き補正ベクトル生成部と、上記動き補正ベクトル生成部の出力信号で現フレームの画像の位置を移動させた第１の動き補正信号と前フレームの画像の位置を移動させた第２の動き補正信号とを生成する動き補正信号生成部とを備え、上記第１の動き補正信号と第２の動き補正信号の差分成分が閾値未満の時は上記第１及び第２の動き補正信号を用いて内挿フレームを生成し、閾値以上の時は現フレーム又は前フレームの信号により内挿フレームを生成することを特徴とする請求項６乃至１３のいずれかに記載の画像信号のフレーム数変換装置。
【請求項１５】
画像信号から画像の動き情報を求め、該動き情報を用いて該画像信号に挿入するための内挿フレームを生成してフレーム数を変換する画像信号のフレーム数変換装置において、
一フレームを複数分割して得られた第１ブロックに分割のそれぞれについて、画像の第１動き情報を求める第１動き情報演算手段と、
前記複数の第１ブロックのそれぞれを複数分割して得られた、該第１ブロックよりも小さい第２ブロックのそれぞれについての画像の第２動き情報を、前記第１動き情報を用いて求める第２動き情報演算手段と、を備え、
該第２動き情報を用いて前記内挿フレームを生成するように構成したことを特徴とするフレーム数変換装置。
【請求項１６】
画像信号から画像の動き情報を求め、該動き情報を用いて該画像信号に挿入するための内挿フレームを生成してフレーム数を変換する画像信号のフレーム数変換装置において、
一フレームを複数に分割したブロックのそれぞれについて動き情報を得るための第１演算処理手段と、
前記複数のブロックのうち、前記第１の動き情報演算処理によって動き情報が得られたブロックを動きブロックとして判定し、該動きブロックについて、再度動き情報を得るための第２演算処理手段と、を備え、
前記第２演算処理手段で得られた動き情報を用いて前記内挿フレームを生成するように構成したことを特徴とするフレーム数変換装置。
【請求項１７】
画像信号から画像の動き情報を求め、該動き情報を用いて該画像信号に挿入するための内挿フレームを生成してフレーム数を変換する画像信号のフレーム数変換方法において、
前記画像信号のシーンチェンジを検出する検出手段と、
該検出手段で画像信号のシーンチェンジを検出した場合は、前記内挿フレームの生成処理を異ならせる制御手段と、
を備えることを特徴とするフレーム数変換方法。
【請求項１８】
請求項１７に記載のフレーム数変換方法において、前記検出手段でシーンチェンジを検出した場合は、前記制御手段は、前記画像の動き情報を求める処理、及び前記動き情報を用いて内挿フレームを生成する処理を中止し、現フレームの画像信号を前記内挿フレームとして用いることを特徴とするフレーム数変換装置。
【請求項１９】
画像信号を入力する入力部と、上記画像信号に基づいてブロック単位の動きベクトルを検出し、上記ブロック単位動きベクトルの動き補正誤差の大小に応じて現ブロックと隣接ブロックの動きベクトルより画素単位の動きベクトルを生成し、上記画素単位の動きベクトルの動き補正誤差の大小に応じて画像信号の内挿フレームを生成することにより画像信号のフレーム数を変換処理する画像信号のフレーム数変換部と、上記画像信号のフレーム数変換部の出力を表示する表示部とを備えたことを特徴とするテレビジョン受像機。
【請求項２０】
上記画像信号のフレーム数変換部において上記画像信号を飛び越し−順次の走査変換処理により順次走査の画像信号に変換して上記画像信号の内挿フレームを生成し、上記表示部に順次走査の画像信号を表示するよう構成したことを特徴とする請求項１９に記載のテレビジョン受像機。
【請求項２１】
画像信号としてテレビジョン信号が入力される入力部と、
該入力部に入力されたテレビジョン信号から画像の動き情報を求め、該動き情報を用いて該テレビジョン信号に挿入するための内挿フレームを生成してフレーム数を変換するフレーム数変換部と、
前記フレーム数変換部でフレーム数が変換されたテレビジョン信号を用いて画像の表示を行う表示部と、を備え、
前記フレーム数変換部は、一フレームを複数分割して得られた第１ブロックに分割のそれぞれについて、画像の第１動き情報を求める第１動き情報演算手段と、前記複数の第１ブロックのそれぞれを複数分割して得られた、該第１ブロックよりも小さい第２ブロックのそれぞれについての画像の第２動き情報を、前記第１動き情報を用いて求める第２動き情報演算手段とを含み、該第２動き情報を用いて前記内挿フレームを生成するように構成したことを特徴とするテレビジョン受像機。
【請求項２２】
画像信号としてテレビジョン信号が入力される入力部と、
該入力部に入力されたテレビジョン信号から画像の動き情報を求め、該動き情報を用いて該テレビジョン信号に挿入するための内挿フレームを生成してフレーム数を変換するフレーム数変換部と、
前記フレーム数変換部でフレーム数が変換されたテレビジョン信号を用いて画像の表示を行う表示部と、を備え、
前記フレーム数変換部は、一画面を複数に分割したブロックのそれぞれについて動き情報を得るための第１演算処理手段と、前記複数のブロックのうち、前記第１の動き情報演算処理によって動き情報が得られたブロックを動きブロックとして判定し、該動きブロックについて、再度動き情報を得るための第２演算処理手段とを含み、該第２演算処理手段で得られた動き情報を用いて前記内挿フレームを生成するように構成したことを特徴とするテレビジョン受像機。
【請求項２３】
画像信号としてテレビジョン信号が入力される入力部と、
該入力部に入力されたテレビジョン信号から画像の動き情報を求め、該動き情報を用いて該テレビジョン信号に挿入するための内挿フレームを生成してフレーム数を変換するフレーム数変換手段と、
前記フレーム数変換手段でフレーム数が変換されたテレビジョン信号を用いて画像の表示を行う表示部と、を備え、
前記フレーム数変換手段は、前記画像信号のシーンチェンジを検出する検出手段と、該検出手段で画像信号のシーンチェンジを検出した場合は、前記内挿フレームの生成処理を異ならせる制御手段とを含むことを特徴とするテレビジョン受像機。
【請求項２４】
請求項２３に記載のテレビジョン受像機において、前記検出手段でシーンチェンジを検出した場合は、前記制御手段は、前記画像の動き情報を求める処理、及び前記動き情報を用いて内挿フレームを生成する処理を中止し、現フレームの画像信号を前記内挿フレームとして用いることを特徴とするテレビジョン受像機。